【事件の表示】
　平成　７年特許願第１１０２４２号「低粘度水性ボールペン」拒絶査定に対する審判事件［平成　８年１０月２９日出願公開、特開平　８−２８２１７７］について、次のとおり審決する。
【結　論】
　本件審判の請求は、成り立たない。
【理　由】
１．手続の経緯・本願発明
　本願は、平成７年４月１２日の出願であって、その請求項１に係る発明は、次の特許請求の範囲の請求項１に記載されたとおりのものと認める（以下、「本願発明」という。）。
「先端ボールを抱持するチップに継ぎ手を介してインキ収容管が連通しているボールペンリフィールを軸筒に搭載して、軸筒に対して軸推移して軸筒先端口からチップ先端部が出没可能となるように成された低粘度水性ボールペンに於いて、前記ボールペンリフィールのインキ収容管には、エチレングリコール、ジエチレングリコール、プロピレングリコール及びグリセリンからなる群から選ばれた少なくとも一種の溶剤が全インキ中５〜４０重量％、架橋型アクリル酸重合体が全インキ中０．１〜１．０重量％、及び顔料が全インキ中５〜１０重量％含み、残部は主として水から成る水性ボールペン用インキが充填され、更に当該インキの後端には筆記に伴うインキの消耗に追随して移動可能で、且つ、インキの蒸発を防止する性質を有したグリース状の半透明不乾性物質よりなるフォロアが充填されてなり、上記チップは、前記先端ボールがチップ先端のボール抱持部の内縁に常時には押圧して密接し、筆記時には密接状態が解除されるように設けられたスプリングを有するとともに、前記スプリングの先に直立状の棒軸部を設けたことを特徴とする低粘度水性ボールペン。」
　　　
２．引用例
　これに対して、原査定の拒絶の理由に引用された、本願の出願の日前に頒布された実願平５−３１８５４号（実開平６−８３３７９号）のＣＤ−ＲＯＭ（頒布日平成６年１１月２９日）、実公平４−５３９８７号公報（頒布日平成４年１２月１８日）、特開昭５７−４９６７８号公報（頒布日昭和５７年３月２３日）及び実願昭５６−８３２２７号（実開昭５７−１９３５７８号）のマイクロフィルム（頒布日昭和５７年１２月８日）（以下、順に、「引用例１」、「引用例２」、「引用例３」及び「引用例４」という。）には、本願発明に関連する事項として、それぞれ以下の事項が記載されている。　　
（１）引用例１（実願平５−３１８５４号（実開平６−８３３７９号）のＣＤ−ＲＯＭ（頒布日平成６年１１月２９日））         
　ａ．「先端にチップを嵌着したボールペンのリフィールであって、当該ボールペンのリフィールは、継ぎ手の先端にチップが嵌着され、チップ嵌着孔に連通する後方に弁室が設けられ、弁室の後部にボール受け座を有してその間にボール弁が遊嵌され、後方には圧入筒部が設けられて、継ぎ手は一体の樹脂成形品で形成され、圧入筒部には金属製のチューブが固着されてインク収容部と成され、インク収容部には静的には高い粘性を有し、筆記時の先端ボールの回転で粘性が低下してインクが流出される、所謂剪断減粘性を有したインクとインクの後端にはインクの消耗と共に追随するフォロアが充填されて、チューブの後端には、通気手段を備えて尾栓が止着されたことを特徴とするボールペンのリフィール。」（【請求項１】）     
　ｂ．「剪断減粘性を有したインクを使用したボールペンは、インクが蒸発し易い・・・インクの粘度は油性ボールペンのインクに比べて小さい・・・その為に、通常は・・・インクの逆流を抑制するグリース状のフォロアが設けられている。しかしながら、フォロアを設けても上向き筆記をしたときには、・・・逆流が生じ、軸筒内を汚すと共に軸筒に設けた通気孔からインクが漏れて手や衣服を汚す危険がある。その状況は油性ボールペンで生じる状況の比でない。」（段落【０００２】参照）　
　ｃ．「リフィール１はチップ８と継ぎ手３とチューブ２と尾栓１６を主たる部材として構成されている。継ぎ手３は鍔部５の先方に小径部４を有し、後方に圧入筒部６を有した一体の筒体でインクの蒸発を抑制する性能に優れた樹脂成形品で形成されている。又、小径部４先端のチップ嵌着孔７には先端ボール８ａを抱持したチップ８がその後端側から圧入されている。又、上記圧入筒部６には金属製のチューブ２の先方部が圧入して固着される。」（段落【０００５】参照）              
　ｄ．「本考案は、静的には高い粘性を示し、筆記時の先端ボールの回転で粘性が低下してインクが流出される剪断減粘性を有したインクを使用したボールペンの替え芯用のリフィールであって、加工性の良い金属リフィールを提供可能とすると共に、インクの自重や衝撃又、上向き筆記に際してもインクの逆流を防止して筆記軸筒内や手、衣服の汚れを防止可能とする。」（段落【０００３】参照）
　ｅ．「インク収容部３内には静的には高い粘性を有し、筆記時の先端ボール８ａの回転で粘性が低下してインクが流出可能となる剪断減粘性を有したインク１４が充填され、更にインク１４の後端にインクの蒸発を防止すると共に、インクの消耗と共にインク面に接触して追随して移動可能なグリース状のフォロア１５が充填されている。」（段落【０００７】参照）
　上記引用例１に記載のボールペンのリフィールは、筆記軸筒を備えるボールペンの替え芯用に使われるものであり（上記記載事項ｄ参照）、軸筒に搭載されるものといえるから、上記引用例１には、
「先端ボール８ａを抱持するチップ８に継ぎ手３を介してインク収容部を成すチューブ２が連通しているボールペンのリフィールを軸筒に搭載したボールペンに於いて、前記ボールペンのリフィールのインク収容部には、静的には高い粘性を有し、筆記時の先端ボール８ａの回転で粘性が低下してインクが流出可能となる剪断減粘性を有したインク１４が充填され、さらに当該インクの後端には、インクの蒸発を防止すると共に、インクの消耗と共にインク面に接触して追随して移動可能なグリース状のフォロア１５が充填されてなるボールペン。」（以下、「引用例１に記載された発明」という。）
が記載されていると認められる。
（２）引用例２（実公平４−５３９８７号公報（頒布日平成４年１２月１８日））
　ボールペンにおいて、ボールペンリフィールを軸筒に搭載して、軸筒に対して軸推移して軸筒先端口からチップ（筆記部）先端部が出没可能となるようなすこと。
（３）引用例３（特開昭５７−４９６７８号公報（頒布日昭和５７年３月２３日））
　ａ．「この発明はマーキングペンやボールペン等の筆記具に使用する水性インキ組成物に関する。」（１頁左下欄９〜１０行）
　ｂ．「この発明のインキは・・・ボールペンに使用したとき・・・インキのぼたもれが生じがたい筆記具を提供することができる。」（１頁左下欄１９行〜右下欄２行）
　ｃ．「この発明で用いられる架橋型アクリル酸樹脂としては、・・・商標名・・・ハイビスワコー・・・１０５・・・等があげられる。そして架橋型アクリル酸樹脂はインキ組成物全量の０．０１〜１０重量％（以下パーセントと記すは全て重量パーセントである）好ましくは０．０５〜２．０％が用いられる。過剰に用いるとインキが流出しがたく、過小に用いるとインキのぼたもれを生じる。・・・顔料はインキ組成物全量の１〜２０％、好ましくは５〜１０％・・・湿潤剤は・・・エチレングリコール、・・・湿潤剤はインキ組成物全量の５〜４０％、好ましくは１０〜３０％が用いられる。」（２頁左上欄９行〜左下欄１４行）
　ｄ．「実施例１・・・Ａ液を攪拌しつゝＢ液を加え均一に混合して・・・インキを得た。・・・実施例５　水　７．７５部　ハイビスワコー１０５　０．２部　カセイソーダ　０．０５部（Ａ液）　酸化チタン・・・１３部　エチレングリコール　２０部　安息香酸ソーダ　１部　ノニオン活性剤（ノニオライトＰＣ１０）　０．１部　水　５７．９部（Ｂ液）実施例１に準じて・・・インキを得た。」（２頁右下欄１４行〜４頁左上欄１２行）
　上記引用例３において、インキ組成物のパーセントは重量パーセントを表している（記載事項ｃ参照）ことと、記載事項ｄのインキ組成物の配合部を全てたすと１００部であることからみて、記載事項ｄにおける各組成の配合部の数値は、Ａ液とＢ液をあわせた全インキの組成物の重量パーセントを表していることが明らかであるから、引用例３には、エチレングリコールの溶剤が全インキ中２０重量％、架橋型アクリル酸重合体が全インキ中０．２重量％、及び顔料が全インキ中１３重量％含み、残部は主として水から成る水性ボールペン用インキが記載されているといえる。
（４）引用例４（実願昭５６−８３２２７号（実開昭５７−１９３５７８号）のマイクロフィルム（頒布日昭和５７年１２月８日））
　ａ．「先端にボール２を抱持し、ボール受座３には軸心にボールに通ずるインキ通孔４が設けられているチップを備えたボールペンにおいて、・・・インキ通孔４には、前記スプリング部材の直線状部７−２を挿通させてボール背面を弾発的に先端方向に押圧してボール側周を先端部内壁に密接させて、従来の先端部内壁とボールとの間隙をなくしチップ先端部での気密が保持されるよう構成した水性ボールペンの先端部構造に関する。・・・筆記時においては、筆記圧でボールをごく僅か後退させてボール受座３に接触させ、同時にチップ先端部内壁とボール周面との間に僅かの間隙１０を生じさせ該間隙からボール周面にインキが供給され実用できる・・・筆記圧が解除されると、即ち非筆記時ではスプリング部材７によるボール背面への弾発的な押圧力が作用してボールを原位置に移動させ、前記間隙をなくし、チップ先端部での気密が保持される。・・・かくして、不使用時は、ボールとチップ先端部内壁との気密が保持され、筆記部の上向き状態での報知、製品に衝撃等を加えたとき等にみられる“インキ呑み込み現象”による筆記不良を解消すると共に、インキの蒸発、乾燥やインキの空気酸化による経時変化を抑制するものである。」（３頁１２行〜５頁２行）
　　
３．対比・判断
　本願発明（前者）と上記引用例１に記載された発明（後者）とを対比する。
（１）前者の「低粘度水性ボールペン」における「低粘度ボールペン」とは何を意味するかについてみるに、本願の発明の詳細な説明の、「この油性ボールペンの改良として、最近、上記の水性と油性との中間粘度領域（数ｍＰａ・Ｓ〜数千ｍＰａ・Ｓ）のインキを用いる中粘度と呼ばれる水性インキ用ボールペンが開発されている。このものは、先端ボールの回転によって粘度が低下してインキがスムーズに流出する特性、所謂剪断減粘性を有する相対的に低粘性の水性のインキを用いたボールペンである。」（段落【０００４】参照）及び「低粘度水性ボールペンは、通常インキ収容管後端に、フォロアと称されるグリース状の半透明不乾性物質が充填される」（段落【０００７】参照）の各記載からみて、インキ収容部に、筆記時のボールの回転で粘性が低下してインキが流出される、所謂剪断減粘性を有したインキが充填され、且つ、インキの蒸発を防止する性質を有したグリース状のフォロアが充填されてなるボールペンを含んだものを意味していると解されるから、後者の、インク収容部に、筆記時のボールの回転で粘性が低下してインクが流出される、所謂剪断減粘性を有したインクが充填され、且つ、インクの蒸発を防止する性質を有したグリース状のフォロアが充填されてなる後者の「ボールペンのリフィール」を備えたボールペンも、「低粘度ボールペン」ということができる。
（２）後者の「先端ボール８ａ」、「チップ８」、「継ぎ手３」、「インク収容部」、「ボールペンのリフィール」、「インク１４」及び「フォロア１５」は、それぞれ、前者の「先端ボール」、「チップ」、「継ぎ手」、「インキ収容管」、「ボールペンリフィール」「インキ」及び「フォロア」に対応している。
　以上のことから、両者は、
「先端ボールを抱持するチップに継ぎ手を介してインキ収容管が連通しているボールペンリフィールを搭載した低粘度ボールペンに於いて、前記ボールペンリフィールのインキ収容管には、ボールペン用インキが充填され、更に当該インキの後端には筆記に伴うインキの消耗に追随して移動可能で、且つ、インキの蒸発を防止する性質を有したグリース状のフォロアが充填されてなる低粘度ボールペン。」
である点で一致しており、以下の点で相違している。
　〔相違点〕
　Ａ．前者では、ボールペンリフィールを、軸筒に対して軸推移して軸筒先端口からチップ先端部が出没可能となるように成されたとしているのに対して、後者では、その点が定かでない点、
  Ｂ．前者では、インキ収容管に充填されるインキの組成が、エチレングリコール、ジエチレングリコール、プロピレングリコール及びグリセリンからなる群から選ばれた少なくとも一種の溶剤が全インキ中５〜４０重量％、架橋型アクリル酸重合体が全インキ中０．１〜１．０重量％、及び顔料が全インキ中５〜１０重量％含み、残部は主として水であり、また、ボールペンを「低粘度水性ボールペン」と称しているのに対して、後者では、インキの組成が定かでなく、また、単に「ボールペン」と称している点。
　Ｃ．前者では、フォロアが半透明不乾性物質よりなるとしているのに対して、後者では、その点が定かでない点、
　Ｄ．前者では、チップは、先端ボールがチップ先端のボール抱持部の内縁に常時には押圧して密接し、筆記時には密接状態が解除されるように設けられたスプリングを有するとともに、前記スプリングの先に直立状の棒軸部を設けたものであるのに対して、後者では、チップはスプリングを有していない点、
　〔相違点の検討〕          
　便宜上、相違点Ｂ、Ｄ、Ａ、Ｃの順に検討する。
　相違点Ｂについて、
　上記引用例３に記載の、エチレングリコールの溶剤が全インキ中２０重量％、架橋型アクリル酸重合体が全インキ中０．２重量％、及び顔料が全インキ中１３重量％含み、残部は主として水から成る水性ボールペン用インキは、ぼたもれを生じがたくしたものであって、これを、水性ボールペンと同様に、油性ボールペンのインキに比べて粘度が小さく、したがって、ぼたもれが生じやすいという問題を抱えるインキを使用する後者のインキに替えて使用することは、当業者が容易に想起できることであって、その使用に格別阻害要因がなく、採用すれば、前者が規定するインキの組成を満たすものとなり、また、そのインキを使用したボールペンをインキの物性と油性か水性かの違いを表すべく、「低粘度水性ボールペン」と称することも適宜なすことであるから、上記相違点Ｂは、当業者が容易に成す構成の変更によるものである。
　相違点Ｄについて、
　上記引用例４には、水性ボールペンにおいて、チップを、先端ボールがチップ先端のボール抱持部の内縁に常時には押圧して密接し、筆記時には密接状態が解除されるように設けられたスプリングを有するとともに、前記スプリングの先に直立状の棒軸部を設けたものとすることが記載されており、これを、水性ボールペンと同様に、油性ボールペンのインキに比べて粘度が小さいインキを使用する後者に適用することは、当業者が容易に想起できることであって、その適用に格別阻害要因がないから、上記相違点Ｄは、当業者が容易に想起できる構成の変更によるものである。
  相違点Ａについて、
　ボールペンにおいて、ボールペンリフィールを、軸筒に対して軸推移して軸筒先端口からチップ（筆記部）先端部が出没可能となるようなすことは、上記引用例２にみられるように、周知であるから、後者に、当該周知の構成を採用して、相違点Ａの構成を備えることは当業者が適宜なすことであり、また、前者は、ノック式筆記具とすることまで規定しているものでないが、ノック式筆記具とした場合、油性ボールペンに比べて、水性ボールペンの方がノックの衝撃を受けやすいものとしても、後者において、上述したように、上記相違点Ｂ及びＤの構成を採用することは容易であるから、上記相違点Ｂ及びＤの構成を採用して、水性ボールペンに伴うぼたもれや逆流の防止等を図ると共に、併せて、ノック式筆記具とすることも、当業者が容易に考えることである。
  相違点Ｃについて、
　後者のフォロアも、インキの蒸発を防止するものであるから、当然、不乾性を備えているものといえ、また、半透明とすることに格別の技術的意義がないから、結局、相違点Ｃは、実質的な相違点ではない。
　したがって、本願発明は、引用例１乃至４に記載された発明を単に組み合わせることにより当業者が容易に構成できることであり、その作用効果も、単なる総和を超えるものでなく、当業者が予測できるものにすぎない。
　　　　　
４．むすび
　以上のとおりであるから、本願発明は、引用例１乃至４に記載された発明に基づいて当業者が容易に発明をすることができたものであるから、特許法第２９条第２項の規定により特許を受けることができない。
　よって、結論のとおり審決する。